(57)【要約】【課題】高所にある浴室暖房乾燥機のフィルターの着脱を容易にすることができることを目的とする。【解決手段】フロントパネル９にレバーベース２７を設け、フィルター２３にレバーベース２７と係合するリブＡ２３ＡとリブＢ２３Ｂとを設けたという構成にしたことにより、レバーベース２７を引っ張りリブＡ２３Ａを押す力でフロントパネル９とフィルター２３との嵌合状態が解除されることとなり、高所にある浴室暖房乾燥機のフィルターの着脱を容易にすることができる浴室暖房乾燥機を得られる。【選択図】図５
2015206533.tif 000002
【特許請求の範囲】
【請求項１】
本体に、浴室内に空気を送風する送風手段および送風風路と、空気を加熱する空気加熱手段と、前記浴室内の空気を本体に吸い込む吸込口を形成したフロントパネルと、前記フロントパネルに嵌合して取り付けられ前記浴室内の空気に含まれる異物を除去するフィルターと、前記浴室内の空気を排気する換気風路と、前記浴室内に空気を吹き出す吹出口と、前記送風手段および前記空気加熱手段の動作を制御する制御手段とを備え、前記フロントパネルにレバー部を設け、前記フィルターに前記レバー部と係合するリブを設けたことを特徴とする浴室暖房乾燥機。
【請求項２】
リブを複数設けたことを特徴とする請求項１に記載の浴室暖房乾燥機。
【請求項３】
レバー部を、穴部と切り欠き部とを備えたことを特徴とする請求項１に記載の浴室暖房乾燥機。
【請求項４】
レバー部の近傍に指を添えるリブを設けたことを特徴とする請求項１または３に記載の浴室暖房乾燥機。
【発明の詳細な説明】
【技術分野】
【０００１】
本発明は、主に一般家庭における浴室の暖房、換気、および浴室内もしくは浴室に干した洗濯物の乾燥に使用される浴室暖房乾燥機に関するものである。
【背景技術】
【０００２】
従来、この種の浴室暖房乾燥機は、浴室内に露出したフロントパネルに吸気口と吐出口が設けられ、浴室内の空気を吸気口から吸い込み、その吸い込んだ空気をヒーター等で加熱し、その後、吐出口から暖かい空気として部屋内に吹き出すように構成されたものが知られている（例えば、特許文献１参照）。
【０００３】
以下、その浴室暖房乾燥機について図６および図７を参照しながら説明する。
【０００４】
図６に示すように、浴室暖房乾燥機本体１０１は浴室１０２の天井１０３に設置され、フロントパネル１０４が浴室１０２内に露出して設けられている。図７に示すように、フロントパネル１０４には、フィルタ１０５を保持するフィルタ取付部１０６およびフィルタ挿入口１０７とを備え、フィルタ１０５はフィルタ挿入口１０７よりフロントパネル１０４に挿入され、フィルタ取付部１０６にて保持され、フィルタ１０５を取り外す際は、人がフィルタ１０５の取っ手をもって、引っ張り出していた。
【先行技術文献】
【特許文献】
【０００５】
【特許文献１】特開２００４−１５０７１７号公報
【発明の概要】
【発明が解決しようとする課題】
【０００６】
このような従来の浴室暖房乾燥機においては、浴室天井面に設置される浴室暖房乾燥機のフィルターをフロントパネルから着脱する際に高所にあると共に係合強度が強固により着脱が困難な場合がある、という課題を有していた。
【０００７】
そこで本発明は、上記従来の課題を解決するものであり、高所にある浴室暖房乾燥機のフィルターの着脱を容易にすることができる浴室暖房乾燥機を提供することを目的とする。
【課題を解決するための手段】
【０００８】
そして、この目的を達成するために、本発明は、本体に、浴室内に空気を送風する送風手段および送風風路と、空気を加熱する空気加熱手段と、前記浴室内の空気を本体に吸い込む吸込口を形成したフロントパネルと、前記フロントパネルに嵌合して取り付けられ前記浴室内の空気に含まれる異物を除去するフィルターと、前記浴室内の空気を排気する換気風路と、前記浴室内に空気を吹き出す吹出口と、前記送風手段および前記空気加熱手段の動作を制御する制御手段とを備え、前記フロントパネルにレバー部を設け、前記フィルターに前記レバー部と係合するリブを設けたこととしたものであり、これにより所期の目的を達成するものである。
【発明の効果】
【０００９】
本発明によれば、本体に、浴室内に空気を送風する送風手段および送風風路と、空気を加熱する空気加熱手段と、前記浴室内の空気を本体に吸い込む吸込口を形成したフロントパネルと、前記フロントパネルに嵌合して取り付けられ前記浴室内の空気に含まれる異物を除去するフィルターと、前記浴室内の空気を排気する換気風路と、前記浴室内に空気を吹き出す吹出口と、前記送風手段および前記空気加熱手段の動作を制御する制御手段とを備え、前記フロントパネルにレバー部を設け、前記フィルターに前記レバー部と係合するリブを設けた、という構成にしたことにより、レバーを引っ張りレバー部をリブが接触してリブが押される力で嵌合状態が解除されることとなるので、高所にある浴室暖房乾燥機のフィルターの着脱を容易にすることができる、という効果を得ることができる。
【図面の簡単な説明】
【００１０】
【図１】本発明の実施の形態１の浴室暖房乾燥機を浴室に設置した状態を示す斜視図
【図２】同浴室暖房乾燥機の側断面を示す構成図
【図３】同浴室暖房乾燥機のフロントパネルを示す斜視図
【図４】図３のＡ−Ａ線に沿った断面図
【図５】図４のＢ部の詳細斜視図
【図６】従来の浴室暖房乾燥機の側断面を示す構成図
【図７】同浴室暖房乾燥機のフロントパネルを示す側断面図
【発明を実施するための形態】
【００１１】
本発明の請求項１記載の浴室暖房乾燥機は、本体に、浴室内に空気を送風する送風手段および送風風路と、空気を加熱する空気加熱手段と、前記浴室内の空気を本体に吸い込む吸込口を形成したフロントパネルと、前記フロントパネルに嵌合して取り付けられ前記浴室内の空気に含まれる異物を除去するフィルターと、前記浴室内の空気を排気する換気風路と、前記浴室内に空気を吹き出す吹出口と、前記送風手段および前記空気加熱手段の動作を制御する制御手段とを備え、前記フロントパネルにレバー部を設け、前記フィルターに前記レバー部と係合するリブを設けた、という構成を有する。これにより、レバーを引っ張りレバー部をリブが接触してリブが押される力で嵌合状態が解除されることとなるので、高所にある浴室暖房乾燥機のフィルターの着脱を容易にすることができる、という効果を奏する。
【００１２】
また、リブを複数設けた、という構成にしてもよい。これにより、複数のリブの１つがレバー部の引き出しを助長しもう１つのが挿入を助長することとなるので、フロントパネルの吸込口を塞がずに高所にある浴室暖房乾燥機のフィルターの着脱を容易にすることができる、という効果を奏する。
【００１３】
また、レバー部を、穴部と切り欠き部とを備えた、という構成にしてもよい。これにより、リブが切り欠き部に挿入され押されもう一つのリブが穴部に挿入されることとなるので、フロントパネルの吸込口を塞がずに高所にある浴室暖房乾燥機のフィルターの着脱の挿入を容易にすることができる、という効果を奏する。
【００１４】
また、レバー部の近傍に指を添えるリブを設けた、という構成にしてもよい。これにより、例えば親指を添えるリブに接触させ人指し指をレバー部に添えてつまむこととなるので、指先だけでフィルターの着脱を容易にすることができる、という効果を奏する。
【００１５】
以下、本発明の実施の形態について図面を参照しながら説明する。
【００１６】
（実施の形態１）
図１に示すように、浴室１は浴槽２と、浴槽２と壁などで分断されていない空間である洗い場空間３とを備え、天井面４には点検口５および開口部６があり、図２に示す浴室１の天井裏空間７に浴室暖房乾燥機を形成する本体８を設け、開口部６を介して浴室１に連通している。
【００１７】
なお、図１に示す点検口５は洗い場空間３の直上、開口部６は浴槽２の直上に位置している。
【００１８】
また、図２に示すように浴室暖房乾燥機は、浴室１の天井面４にフロントパネル９が設置され、フロントパネル９は吸込口１０と吹出口１１を備え、浴室暖房乾燥機の本体８は、吸込口１０の近傍に浴室１の空気を吸込口１０から取り入れた空気を加熱する空気加熱手段としての温水を用いた熱交換器１２と、熱交換器１２に対して下流側に空気を循環させる循環送風手段としての循環ファンモータ１３とを備えている。循環ファンモータ１３が駆動することにより、吸込口１０から取り入れた空気は、循環ファンモータ１３により送風空気として浴室１に空気を送風する吹出口１１までを繋ぐ通風路１４を通過し吹出口１１に到達する。また、前記空気は熱交換器１２により加熱されることで温風とすることもできる。
【００１９】
さらに、前記送風空気は、吹出口１１から送風された風向を変化させる風向制御手段としての風向板１５と、前記風向板１５を稼動させる手段としてのモータ好ましくはステッピングモータ（図示せず）により、浴室１の任意の方向へ送風することができる。
【００２０】
なお、循環ファンモータ１３として、ファンは例えばシロッコファンを用い、モータはＤＣを用いている。
【００２１】
なお、本実施の形態１において、浴室暖房乾燥機の本体８に浴室１をサウナ空間とすることができる加湿手段を設けても良い。
【００２２】
なお、本実施の形態１では空気加熱手段として温水を用いた熱交換器１２を用いたが、熱交換器１２に換えてＰＴＣヒータ、ハロゲンヒータ、シーズヒータ等他の電気式ヒータでもよい。
【００２３】
そして、前記浴室暖房乾燥機は、本体８の点検口５側の外部に浴室１の空気を屋外に排出する換気手段としての換気ファンモータ１６を備えた換気部１７をねじ止めさせて設け、換気部１７と本体８を連通し連通する開口形状（開口面積に相当）を調節するダンパ１８を備え、浴室１の換気を行うことができる。
【００２４】
なお、ダンパ１８なし、本体８内部に換気手段を備えた浴室暖房乾燥機、または外部換気装置と浴室暖房乾燥機とをダクト配管を介して連通する構成でも良い。
【００２５】
また、前記浴室暖房乾燥機は、運転の制御および演算を行なう制御手段としての電装基板１９と、電装基板１９に接続され、運転開始からの経過時間を計測するタイマー２０と、前記浴室暖房乾燥機を脱衣室２１内から操作し運転状態を表示する操作手段としての脱衣室リモコン２２とを備え、脱衣室リモコン２２からの操作により、浴室暖房乾燥機の運転を行うことができる。
【００２６】
図３および図４に示すように、フィルター２３はフロントパネル９の開口部２４から差し込むように挿入することで、フロントパネル９に嵌合部２８が引っかかり保持される。
【００２７】
また、フィルター２３と係合するレバーベース２７と、フロントパネル９の表面に、フロントパネル９を連通してレバーベース２７と接続されるレバー２５とでレバー部を形成しており、レバーベース２７は穴部２７Ａと切り欠き部２７Ｂを有している。
【００２８】
また、フロントパネル９の浴室１側である表面には指を添えることができるパネルリブ２６を備えている。
【００２９】
図５に、レバーベース２７とフィルター２３との係合状態を示す詳細図である。
【００３０】
そして、フィルター２３にはレバーベース２７の穴部２７Ａと係合するリブＡ２３Ａと切り欠き部２７Ｂと係合するリブＢ２３Ｂを備えている。
【００３１】
上記構成において、使用者がフィルター２３を取り外す際の動作について説明する。
【００３２】
使用者がレバー２５を吹出口１１側へ引くと、レバーベース２７の穴部２７ＡとリブＡ２３Ａとが係合し、リブＡ２３Ａが押す力でフィルター２３を吹出口側へ移動させることで、嵌合部２８のフロントパネル９とフィルター２３との嵌合状態が解除されることとなるので、指先だけの軽い力でフィルター２３をフロントパネル９から引き出せるので、高所にある浴室暖房乾燥機のフィルターの着脱を容易にすることができる。
【００３３】
また、フィルター２３をフロントパネル９へ挿入する際には、フィルター２３を開口部２４に挿入後にレバー２５を吸込口１０側に押し込むと、切り欠き部２７ＢとリブＢ２３Ｂとが係合し、リブＢ２３Ｂを吸込口１０側へ押す力でフィルター２３が押し込まれ、嵌合部２８のフロントパネル９とフィルター２３との嵌合状態を再び形成されることとなるので、指先だけの軽い力でフィルター２３をフロントパネル９へ取り付けられるので高所にある浴室暖房乾燥機のフィルターの着脱を容易にすることができる。
【００３４】
例えば、フィルター２３のリブが１本の場合、フィルター２３挿入したときに、レバーベース２７との係合状態を再び形成するためには、穴部２７Ａを長穴とする必要があり、レバーベース２７のサイズが大きくなる。レバーを複数にし、複数のリブの１つがレバー部の引き出しを助長しもう１つのが挿入を助長することとなるので移動ストロークを短くでき、フロントパネルの吸込口を塞がずに高所にある浴室暖房乾燥機のフィルターの着脱を容易にすることができる。
【００３５】
また、レバーベース２７において、リブＡ２３ＡおよびリブＢ２３Ｂとの係合部の形状を穴部２７Ａと切り欠き部２７Ｂとしフィルター２３のリブＡ２３ＡをリブＢ２３Ｂより吹出口１１側にしたことにより、まず、リブＢ２３Ｂが切り欠き部２７Ｂに押されることで位置が決まり、リブＡ２３Ａが穴部２７Ａに挿入されることを助長することとなり、穴部の長さを短くできるためフロントパネルの吸込口を塞がずに高所にある浴室暖房乾燥機のフィルターの着脱の挿入を容易にすることができる。
【００３６】
また、レバーを引っ張る際に、パネルリブ２６に例えば親指を添え、接触させ、人指し指をレバー部に添えてつまむことで、指先だけでフィルターの着脱を容易にすることができる。
【００３７】
なお、パネルリブ２６の形状は、指形状に沿わして湾曲るすなどしても、同様の効果が得られる。
【産業上の利用可能性】
【００３８】
本発明にかかる浴室暖房乾燥機は、高所にある浴室暖房乾燥機のフィルターの着脱を容易にすることができることを可能とするものであるので、浴室のみならず、高所に設置された機器のフィルターの着脱機構等として有用である。
【符号の説明】
【００３９】
１      浴室
２      浴槽
３      洗い場空間
４      天井面
５      点検口
６      開口部
７      天井裏空間
８      本体
９      フロントパネル
１０    吸込口
１１    吹出口
１２    熱交換器
１３    循環ファンモータ
１４    通風路
１５    風向板
１６    換気ファンモータ
１７    換気部
１８    ダンパ
１９    電装基板
２０    タイマー
２１    脱衣室
２２    脱衣室リモコン
２３    フィルター
２３Ａ  リブＡ
２３Ｂ  リブＢ
２４    開口部
２５    レバー
２６    パネルリブ
２７    レバーベース
２７Ａ  穴部
２７Ｂ  切り欠き部
２８    嵌合部
【図１】
2015206533.tif 000003
【図２】
2015206533.tif 000004
【図３】
2015206533.tif 000005
【図４】
2015206533.tif 000006
【図５】
2015206533.tif 000007
【図６】
2015206533.tif 000008
【図７】
2015206533.tif 000009